(57)【要約】【課題】  原料の抽出効率を高くすることが可能なティーバッグを提供する。個人の嗜好に合わせて調製可能なティーバッグを提供する。【解決手段】  ２つ以上の紐状部材を備えることを特徴とする、ティーバッグを提供する。【選択図】図２
2019210026.tif 000002
【特許請求の範囲】
【請求項１】
２つ以上の紐状部材を備えることを特徴とする、ティーバッグ。
【請求項２】
少なくとも２つの紐状部材を、それぞれの紐状部材が離反する方向に引張力を加えると、ティーバッグの内部空間が広がる位置に備えることを特徴とする、請求項１に記載のティーバッグ。
【請求項３】
前記ティーバッグが、立体形状のティーバッグであって、
少なくとも２つの前記紐状部材を、互いに異なるフィルター面、互いに異なる周縁部、又はフィルター面及び周縁部に備えることを特徴とする、請求項１に記載のティーバッグ。
【請求項４】
前記ティーバッグが、略平面状のティーバッグであって、
少なくとも２つの前記紐状部材を、それぞれ対向するフィルター面に備えることを特徴とする、請求項１に記載のティーバッグ。
【請求項５】
前記ティーバッグが、少なくとも第１のティーバッグ部と第２のティーバッグ部に分離可能であることを特徴とする、請求項１に記載のティーバッグ。
【請求項６】
少なくとも前記第１のティーバッグ部及び第２のティーバッグ部が、それぞれ少なくとも１つの紐状部材を備えることを特徴とする、請求項５に記載のティーバッグ。
【請求項７】
ティーバッグの製造方法であって、
２枚以上のフィルターを重ねて配置し、フィルター層を形成するフィルター層形成工程を備え、
該フィルター層の最表面には、少なくとも２つ以上の紐状部材が接着されており、
さらに、２つ以上の該紐状部材の、フィルターに接着されている端部を含むように、任意の形状にフィルター層を切断、及び溶着又は縫合する成形工程と、を備える、複数の紐状部材を備えるティーバッグの製造方法。
【請求項８】
前記成形工程において、レーザーを用いてフィルター層を切断及び溶着を行うことを特徴とする、請求項７に記載の製造方法。
【発明の詳細な説明】
【技術分野】
【０００１】
本発明は、２以上のタグを備えるティーバッグ、及びその製造方法に関するものである。
【背景技術】
【０００２】
紅茶や緑茶等を手軽に楽しむ方法として、ティーバッグを用いて茶類を抽出する方法が広く普及している。
【０００３】
ティーバッグの形状は矩形状であることが多いが、矩形状では抽出原料を収容するための空間が狭く、抽出中に茶葉が吸水膨張して体積が増えると、通水性が悪くなり、抽出効果が不充分になる等の問題があった。
【０００４】
この問題を解決するために、例えば特許文献１では、ティーバッグに接着する吊り糸を、従来のティーバッグの周縁部から、矩形の対角線の交点及びその付近に接着することで、抽出効率の改善を図っている。この場合、水に浸した時に吊り糸を引くとティーバッグが菱形に変形し、ティーバッグが大きく伸長を繰り返すことによって、ティーバッグ内での熱水の流出入が促進され、茶葉の成分を短時間で効率よく抽出することができる。
【０００５】
また特許文献２では、ティーバッグを多面立体構造にすることにより、抽出効率の改善を図っている。これにより、ティーバッグを湯や水に浸漬した際に、内容物がティーバッグ本体に押し付けられず、自由に膨潤することができる。また、ティーバッグ内への湯や水の浸入が容易に行われ、内容物のエキスの抽出が容易になる。
【先行技術文献】
【特許文献】
【０００６】
【特許文献１】特開２００６−２１８１９号公報
【特許文献２】特開２００４−２３８０７２号公報
【発明の概要】
【発明が解決しようとする課題】
【０００７】
本発明は種々の機能性を有するティーバッグを提供することを課題とする。
【０００８】
特に、本発明は、原料の抽出効率を高くすることが可能なティーバッグを提供することをさらなる課題とする。
【０００９】
またティーバッグは従来、１つのティーバッグにつき１種類の原料を抽出するものであり、使用者の嗜好に合わせて調整をできるものではなかった。
【００１０】
したがって、本発明は、個人の嗜好に合わせて抽出度合いを容易に調整することができるティーバッグを提供することをさらなる課題とする。
【課題を解決するための手段】
【００１１】
前記課題を解決する本発明は、２つ以上の紐状部材を備えることを特徴とする、ティーバッグである。
２つ以上の紐状部材を操作することで、原料を効率よく抽出することができる。
【００１２】
本発明の好ましい形態では、少なくとも２つの紐状部材を、それぞれの紐状部材が離反する方向に引張力を加えると、ティーバッグの内部空間が広がる位置に紐状部材を備えることを特徴とする、ティーバッグである。
２つの紐状部材を操作し、ティーバッグの内部空間を広げることにより、通水性が向上し、効率よく原料を抽出することができる。
【００１３】
本発明の好ましい形態では、前記ティーバッグが、立体形状のティーバッグであって、
少なくとも２つの前記紐状部材を、互いに異なるフィルター面、互いに異なる周縁部、又はフィルター面及び周縁部に備えることを特徴とする、ティーバッグである。
２つの紐状部材を操作し、ティーバッグの内部空間を広げることにより、通水性が向上し、効率よく原料を抽出することができる。
【００１４】
本発明の好ましい形態では、前記ティーバッグが、略平面状のティーバッグであって、
少なくとも２つの前記紐状部材を、それぞれ対向するフィルター面に備えることを特徴とする、ティーバッグである。
２つの紐状部材を操作し、ティーバッグの内部空間を広げることにより、通水性が向上し、効率よく原料を抽出することができる。
【００１５】
また、前記課題を解決する本発明は、
２つ以上の紐状部材を備えることを特徴とする、複数の紐状部材を備えるティーバッグであって、
少なくとも第１のティーバッグ部と第２のティーバッグ部に分離可能であることを特徴とする、ティーバッグである。
分離したティーバッグの各抽出時間を任意に変更可能であり、抽出度合いを容易に調整可能である。
【００１６】
本発明の好ましい形態では、少なくとも前記第１のティーバッグ部と、前記第２のティーバッグ部が、それぞれ少なくとも１つの紐状部材を備えることを特徴とする、ティーバッグである。
分離したティーバッグの各抽出時間は任意に変更可能であり、抽出度合いを容易に調整可能である。
【００１７】
さらに、前記課題を解決する本発明は、
ティーバッグの製造方法であって、
２枚以上のフィルターを重ねて配置し、フィルター層を形成するフィルター層形成工程を備え、
該フィルター層の最表面には、少なくとも２つ以上の紐状部材が接着されており、
さらに、２つ以上の該紐状部材の端部を含むように、任意の形状にフィルター層を切断、及び溶着又は縫合する成形工程と、を備える、複数の紐状部材を備えるティーバッグの製造方法である。
【００１８】
本発明の好ましい形態では、レーザーを用いてフィルター層を切断及び溶着を行う。
【００１９】
本発明のティーバッグは、効率よく抽出操作を行うことができる。
本発明のティーバッグは、個人の嗜好に合わせて抽出度合いを容易に調整することができる。
さらに、本発明のティーバッグの製造方法によれば、複数の紐状部材を備えるティーバッグを製造することができる。
【図面の簡単な説明】
【００２０】
【図１】本実施形態に係る、複数の紐状部材を備える略平面状のティーバッグの製造方法である。
【図２】本実施形態に係る、複数の紐状部材を備える略平面状のティーバッグの正面図である。
【図３】本実施形態に係る、複数の紐状部材を備える略平面状のティーバッグの側面図である。
【図４】図３において、２つの紐状部材が離反する方向に引張力を加えたときの図である。
【図５】本実施形態に係る、フィルター面及び周縁部に紐状部材を備える立体形状のティーバッグである。
【図６】本実施形態に係る、分離可能なティーバッグの製造方法である。
【図７】本実施形態に係る、分離可能なティーバッグ（分離前）である。
【図８】本実施形態に係る、分離可能なティーバッグ（分離後）である。
【発明を実施するための形態】
【００２１】
〈材料〉
本発明のティーバッグの製造方法において、フィルターの種類は、一般的にティーバッグに用いることができる素材であれば特に限定されず、紙、不織布、ナイロン紗、ポリエステル紗及び植物由来の生分解性繊維を用いることができる。
また、フィルターの組み合わせは、全て同一のフィルターでも、目的に応じて異なるフィルターを組み合わせても、又は全て異なるフィルターを用いてもよい。
【００２２】
本発明のティーバッグの製造方法において、紐状部材は特に限定されず、綿、麻、毛、絹等の天然繊維、アクリル、ポリエステル、ナイロン、ビニロン、ポリウレタン、レーヨン、キュプラ、アセテート、トリアセテート、プロミックス等の化学繊維、及びこれらを複合した糸並びに紐等を用いることができる。
【００２３】
以下、図面を参照して本発明の一実施形態に係るティーバッグの製造方法について説明するが、本発明はこれに限られない。
【００２４】
〈実施例１〉
図１に実施例１に係るティーバッグの製造方法のイメージ図を示す。
実施例１においては、２枚のフィルター１０を重ねて、フィルター層を形成する。
【００２５】
前記フィルター層の最表面には、２つ以上の紐状部材１１が接着されている。そのうち、図面手前側の紐状部材の、フィルターに接着されている端部１つ、及び、図面奥側の紐状部材の、フィルターに接着されている端部１つを含むように、フィルター切断位置２０ａを設定する。フィルター切断位置２０ａは、前記紐状部材がフィルター切断位置の近傍に位置するように設定する。そして、レーザーを用いて、フィルター切断位置２０ａに基づいてフィルター層を切断し、同時にフィルター層を溶着する。
【００２６】
図２には、本実施形態に係る、２つの紐状部材を備える略平面状のティーバッグ３０の正面図を示す。
図３には、本実施形態に係る、２つの紐状部材を備えるティーバッグ３０の側面図を示す。
図４には、２つの紐状部材が離反する方向に引張力を加えたときのティーバッグ３０のイメージ図を示す。
【００２７】
２つの紐状部材１１に対して、図４に示した矢印方向にそれぞれ引張力を加えると、ティーバッグの内部空間を広げることができる。これにより、ティーバッグ内の茶葉が吸水しても、ティーバッグ内部の通水性を保つことができ、ティーバッグを揺り動かすことなく、抽出効率を向上させることができる。
【００２８】
本実施形態においては、２枚のフィルター１０を用いる形態について示したが、フィルター１０の枚数は、２枚以上であれば特に限定されない。
３枚以上のフィルターを用いる場合であっても、紐状部材１１はフィルター層の最表面に接着される。
【００２９】
また、本実施形態においては、一つのティーバッグ３０が備える紐状部材１１の数は、２つに限定されず、３つ以上の紐状部材１１を備えることもできる。
【００３０】
紐状部材１１の接着手法は、通常ティーバッグの製造方法において用いられる方法であれば、特に限定されない。例えば、フィルター１０と紐状部材１１を融着する方法、テープを用いて接着する方法、糊付けにより接着する方法等が挙げられる。
【００３１】
また、本実施形態においては、レーザーを用いてフィルター層を切断及び溶着する形態について示したが、切断媒体はこれに限定されず、カッター、超音波カッター、裁断機等の切断媒体を用いてフィルター層を切断してもよい。
また、超音波溶着、プログラミング可能な超音波溶着、熱風式溶着、熱板式溶着、インパルス式溶着及びコテ式溶着等を用いてフィルター層を溶着してもよい。溶着に代えて、ミシン及びプログラミンが可能なミシン等を用いてフィルター層を縫合してもよい。
【００３２】
本発明のティーバッグの製造方法においては、レーザーを用いることが好ましい。
レーザーを用いることで、フィルター層の切断とフィルター層を形成するフィルター同士の溶着を同時に行うことができるため、より製造効率が向上する。
【００３３】
また、レーザー以外の切断方法、及び溶着方法は、矩形状などの単純な形状のティーバッグを成形するのには適しているが、ハート型や星型等の、曲線部を含む形状、鋭角または鈍角を含む形状等の複雑な形状のティーバッグの成形では、うまく溶着できず、隙間が生じたり、切断面が綺麗にならないという問題があった。
一方でレーザーを用いると、複雑な形状のティーバッグでも、綺麗に成形することができる。すなわち、切断及び溶着の手段としてレーザーを採用することで、製造できるティーバッグの形状の幅を増やすことができる。
【００３４】
レーザーを用いる場合には、一般的に加工・溶着に使われる固体レーザー及び気体レーザーを用いることができ、ＣＯ２レーザーを用いることが好ましい。
【００３５】
レーザーの出力の上限及び下限は、フィルターの種類により異なるが、当業者であれば、適宜レーザーの出力を調整することが可能である。
例えば、フィルターが不織布である場合には、レーザーの出力の下限は、好ましくは０．１Ｗ以上、より好ましくは０．２Ｗ以上、さらに好ましくは０．４Ｗ以上、特に好ましくは０．６Ｗ以上である。また、レーザーの出力の上限は、好ましくは２０Ｗ以下、より好ましくは１８Ｗ以下、さらに好ましくは１６Ｗ以下、特に好ましくは１４Ｗ以下である。
【００３６】
また、ティーバッグ３０の形状は特に限定されず、矩形状等のティーバッグとしてよく知られた形状としてもよく、円形等の曲線部を含む形状、及び星型等の鋭角部及び／又は鈍角部を有する形状等、任意の形状に設定することができる。
【００３７】
本実施形態においては、２つの紐状部材が、それぞれ対向するフィルター面の相対する位置に接着されている形態について示したが、紐状部材の位置は特に限定されない。少なくとも２つの紐状部材を、それぞれの紐状部材が離反する方向に引張力を加えると、ティーバッグの内部空間が広がる位置に備えていればよい。
【００３８】
（実施例２）
実施例１で述べた事項については省略しつつ、実施例２について説明を加える。
【００３９】
図５に、実施例２に係る三角錐状のティーバッグ４０を示す。
本実施形態においては、フィルター面及び頂点に２つの紐状部材１１を備える。このような形状にすることで、略平面状のティーバッグ３０と同様に、紐状部材１１に引張力を加えると、内部空間を広げることができ、抽出効率を高くすることができる。
【００４０】
本実施形態においては、２つの紐状部材１１の接着位置がそれぞれフィルター面及び頂点である形態について示したが、紐状部材１１の接着位置は特に限定はされない。少なくとも２つの紐状部材を、それぞれの紐状部材が離反する方向に引張力を加えると、ティーバッグの内部空間が広がる位置に備えていればよい。また、２つの紐状部材の接着位置が、互いに異なるフィルター面、互いに異なる周縁部、又はフィルター面及び周縁部のいずれかであることが好ましい。
【００４１】
さらに、ティーバッグの形状も三角錐に限定されず、任意の立体形状とすることができる。
【００４２】
実施例１及び２で示した本実施形態に係るティーバッグ３０及び４０の特徴を、一般化して表現すると、本発明のティーバッグは、少なくとも２つの紐状部材を備え、少なくとも２つの紐状部材を、それぞれの紐状部材が離反する方向に引張力を加えると、ティーバッグの内部空間が広がる位置に備えることを特徴とする。
【００４３】
（実施例３）
実施例１及び２で説明した事項については省略しつつ、実施例３について説明を加える。
図６に、実施例３に係る分離可能なティーバッグ５０の製造方法のイメージ図を示す。
【００４４】
前記フィルター層の最表面には、紐状部材１１が２つ以上接着されている。このうちの２つを含むように、第１のティーバッグ部のフィルター切断位置２０ｂを設定する。２つの紐状部材のうち、図面奥側のフィルターに接着されている紐状部材のみを含むように、第１のティーバッグ部のフィルター切断位置２０ｂの内側に、第２のティーバッグ部のフィルター切断位置２０ｃを設定し、レーザーを用いて、フィルター切断位置２０ｂ及び２０ｃに基づいて、フィルター層を切断及び溶着する。分離可能なティーバッグ５０を成形する。
【００４５】
図７及び図８に、分離可能なティーバッグ５０を示す。図７は、本実施形態に係る分離可能なティーバッグ５０の分離前の状態を示した図である。また図８は、本実施形態に係る分離可能なティーバッグ５０の分離後の状態を示した図である。
【００４６】
本実施形態に係るティーバッグ５０は、第１のティーバッグ部５１と第２のティーバッグ部５２に分離可能であり、第１のティーバッグ部５１と第２のティーバッグ部５２に、それぞれ１つの紐状部材を備えている。
【００４７】
ティーバッグ５０の使用形態について説明を加える。
例えば、第１のティーバッグ部５１に紅茶の茶葉を、第２のティーバッグ部５２には、第１のティーバッグ部とは異なる種類の紅茶の茶葉をそれぞれ充填する。第１のティーバッグ部５１と第２のティーバッグ部５２は、容易に分離可能であるため、それぞれの茶葉の抽出時間を任意に変更することができ、第１のティーバッグと第２のティーバッグの抽出時間を変化させることで、個人の嗜好に合わせたブレンド紅茶を容易に抽出することができる。
【００４８】
また、第１のティーバッグ部５１にストレートの紅茶の茶葉を、第２のティーバッグ部５２にドライフルーツを充填することで、第１のティーバッグ部５１のみから抽出すると、ストレートティーを楽しむことができ、第１のティーバッグ部５１と第２のティーバッグ部５２とを併せて抽出すると、フレーバーティーを楽しむことができる。例えば、一杯目はストレートティーを楽しみ、二杯目からフレーバーティーを楽しむことや、一杯目の途中で味を変更することも可能である。
【００４９】
さらに、第１のティーバッグ部５１にカフェインレスコーヒーの粉末を、第２のティーバッグ部５２にカフェイン含有のコーヒーの粉末を充填することもできる。妊婦等のカフェイン摂取を制限されている者は、第１のティーバッグ部５１のみからコーヒーを抽出してカフェインレスのコーヒーを楽しむことができ、そうでない人は、第１のティーバッグ部５１と第２のティーバッグ部５２を併せて抽出することで、カフェイン含有のコーヒーをそれぞれ楽しむことができる。
【００５０】
すなわち、従来、ストレートティー、フレーバーティー、コーヒー、及びカフェインレスコーヒー等を飲もうとすれば、それぞれ別個購入する必要があったが、本実施形態に係るティーバッグ５０は、味、香り及び含有成分等が異なる複数種の飲料を楽しむことができる。
【００５１】
ティーバッグに充填される原料は、特に限定されず、漢方、コーヒー、健康食品、インスタント類（味噌汁、スポーツ飲料、スープ等）、出汁用原料等の食品等を用いることができる。
また、アロマ及びポプリ等の雑貨や、石・鉱石等を投入し、風呂に入れることで、温泉効能的用途を有する雑貨、脱臭剤及び防臭剤等に用いることができる。
さらに、医薬原料、及び洗顔料の粉末等の化粧品原料を用いることもできる。
【００５２】
また、原料を充填せず、使用者が自身の嗜好に合わせて内容物を封入する形態で用いることもできる。
【００５３】
本実施形態においては、２つの紐状部材１１を、それぞれ対向するフィルター面に接着する形態について示したが、紐状部材１１の接着位置は特に限定されず、同一のフィルター面上に２つ以上の紐状部材を備える形態であってもよい。
【００５４】
また、分離可能なティーバッグ部の数は、２つに限定されず、分離可能なティーバッグ部を３つ以上備える形態であってもよい。
【００５５】
なお、本実施形態においては、分離後のティーバッグはいずれも紐状部材１１を備えているが、紐状部材１１を備えない形態であってもよい。
【産業上の利用可能性】
【００５６】
本発明は、種々の機能性を有するティーバッグに応用することができる。
【符号の説明】
【００５７】
１０  フィルター
１１  紐状部材
２０，２０ａ〜ｃ  フィルター切断位置
３０  略平面状のティーバッグ
４０  三角錐状のティーバッグ
５０  分離可能なティーバッグ
５１  第１のティーバッグ部
５２  第２のティーバッグ部
【図１】
2019210026.tif 000003
【図２】
2019210026.tif 000004
【図３】
2019210026.tif 000005
【図４】
2019210026.tif 000006
【図５】
2019210026.tif 000007
【図６】
2019210026.tif 000008
【図７】
2019210026.tif 000009
【図８】
2019210026.tif 000010
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
略平面状のティーバッグであって、２つ以上の紐状部材を備え、少なくとも２つの前記紐状部材を、それぞれ対向するフィルター面上に備えることを特徴とする、ティーバッグ。
【請求項２】
少なくとも２つの紐状部材を、それぞれの紐状部材が離反する方向に引張力を加えると、ティーバッグの内部空間が広がる位置に備えることを特徴とする、請求項１に記載のティーバッグ。
【請求項３】
２つ以上の紐状部材を備えるティーバッグであって、
少なくとも第１のティーバッグ部と第２のティーバッグ部に分離可能であって、第１のティーバッグ部及び第２のティーバッグ部が、それぞれ少なくとも１つの紐状部材を備えることを特徴とする、ティーバッグ。
【請求項４】
ティーバッグの製造方法であって、
２枚以上のフィルターを重ねて配置し、フィルター層を形成するフィルター層形成工程を備え、
該フィルター層の最表面には、少なくとも２つ以上の紐状部材が接着されており、
さらに、２つ以上の該紐状部材の、フィルターに接着されている端部を含むように、任意の形状にフィルター層を切断、及び溶着又は縫合する成形工程と、を備える、複数の紐状部材を備えるティーバッグの製造方法。
【請求項５】
前記成形工程において、レーザーを用いてフィルター層を切断及び溶着を行うことを特徴とする、請求項４に記載の製造方法。